(57)【要約】  本発明は折り畳み式温熱椅子に関するものであって、使用者が座った状態でキャンドル高さ自動調節装置から供給された熱を使用者の身体へ伝達することができる着座部と、その底面にキャンドル高さ自動調節装置が締結されることができる固定締結部と、キャンドル高さ自動調節装置から伝達された熱によって着座部と固定締結部の結合で形成された空間の空気を加熱することにより、使用者の身体へ均一な熱を伝達することができる蓄熱分散板と、使用時「Ｘ」字状に拡大され、未使用時、外部へ突出する部分なく折り畳まれることができる支持フレーム部とで構成される。【選択図】図１
2019506285.tif 000002
【特許請求の範囲】
【請求項１】
使用者が座る床板部と、前記床板部の底面に備えられた結合部と、前記結合部と相対する反対側に備えられた係止部を含む着座部と、前記結合部または前記係止部に結合される内側フレームと、前記結合部または前記係止部に着脱可能に結合され、前記内側フレームよりも幅がさらに大きく、長さがさらに長くなされた外側フレームを含む支持フレーム部とを含む折り畳み式温熱椅子。
【請求項２】
使用時、前記内側フレームと外側フレームが相互交差をなして拡張されて前記外側フレームの上端が前記係止部に結合され、未使用時、前記外側フレームが前記係止部から分離され、前記内側フレームが前記外側フレームの内側に挿入されて幅方向及び長手方向に水平をなすことを特徴とする請求項１に記載の折り畳み式温熱椅子。
【請求項３】
前記結合部は前記床板部の底面にパイプまたはパイプ状に曲げて形成して備えられ、前記内側フレームは上部の一部が切断されて内側フレーム開放部を形成して前記内側フレーム開放部を除いた上部が前記結合部に結合されることを特徴とする請求項１に記載の折り畳み式温熱椅子。
【請求項４】
前記係止部は前記床板部の底面に前記外側フレームの上部に対応する形状に備えられることを特徴とする請求項１に記載の折り畳み式温熱椅子。
【請求項５】
前記外側フレームは下部が開放されるか、下部の一部が切断された外側フレーム開放部を形成することを特徴とする請求項１に記載の折り畳み式温熱椅子。
【請求項６】
前記内側フレーム及び外側フレームはそれぞれ上部フレームと下部フレームに分割構成され、前記上部フレームと下部フレームは前記内側フレームと外側フレームが相互交差をなす部位にそれぞれ貫通形成された結合口に締結ボルトを挿入締結して組み立てをなすことを特徴とする請求項１に記載の折り畳み式温熱椅子。
【請求項７】
前記上部フレームは前記下部フレームよりも直径が小さく、前記下部フレームに一部挿入された状態で組み立てをなすことを特徴とする請求項６に記載の折り畳み式温熱椅子。
【請求項８】
前記上部フレームと下部フレームは直径が同一であり、前記上部フレームは一部が外側へ突出するように内側に結合された丸棒部材を備え、前記丸棒部材の突出した端部に結合口が形成された状態で前記丸棒部材の突出部位が前記下部フレームに挿入されて組み立てをなすことを特徴とする請求項６に記載の折り畳み式温熱椅子。
【請求項９】
前記床板部の底面に締結される固定締結部をさらに含み、前記固定締結部は締結板と、前記締結板の周りに沿って上側へ突出具備されて内側に加熱された空気が対流する対流空間部を形成する側面支持部を含むことを特徴とする請求項１に記載の折り畳み式温熱椅子。
【請求項１０】
前記固定締結部は、前記締結板の底面に貫通形成されてキャンドル高さ自動調節装置が装着される流入口と、前記対流空間部に配置されて空気を加熱して使用者の身体に熱が伝達されるようにする蓄熱分散板と、前記側面支持部に貫通形成された空気排出口をさらに含むことを特徴とする請求項９に記載の折り畳み式温熱椅子。
【請求項１１】
前記蓄熱分散板は凹んだ形状をなし、通気口を貫通形成することを特徴とする請求項１０に記載の折り畳み式温熱椅子。
【請求項１２】
前記着座部は、厚さを有する生地からなり、内部を開閉する開閉部材を備えたカバー部と、前記カバー部の内側に装着されるクッション部材と、金属材質からなって前記カバー部の幅方向の一側へ延長された部位に接合具備される結合部と、金属材質からなって前記カバー部の幅方向の他側へ延長された部位に接合具備される係止部とを含むことを特徴とする請求項１に記載の折り畳み式温熱椅子。
【請求項１３】
前記係止部は内側面に整列溝を形成し、前記外側フレームは前記整列溝に結合される整列突起を上部に備えるか、前記係止部は内側面に整列突起を備え、前記外側フレームは前記整列突起が結合される整列溝を形成することを特徴とする請求項１ないし１２のいずれか一項に記載の折り畳み式温熱椅子。
【請求項１４】
前記内側フレームは上部の縦断面の周り方向に沿ってガイド溝を形成し、前記結合部は前記ガイド溝に対応される位置に内側へ突出するガイド突起を一つ以上備えることを特徴とする請求項１ないし１２のいずれか一項に記載の折り畳み式温熱椅子。
【請求項１５】
前記着座部は、厚さを有する生地からなり、内部に形成された対流空間部を開閉する開閉部材を備えたカバー部と、前記対流空間部に装着される温熱モジュールとを含むことを特徴とする請求項１に記載の折り畳み式温熱椅子。
【請求項１６】
前記着座部は温熱モジュールの挿入が可能なポケットを備え、前記結合部は生地からなり、前記係止部は生地で被覆されることを特徴とする請求項１に記載の折り畳み式温熱椅子。
【発明の詳細な説明】
【技術分野】
【０００１】
本発明は折り畳み式温熱椅子に関し、大きさの異なる２つの支持フレームによって使用時、着座部を安定して支持すると同時に、未使用時、支持フレームが幅方向及び長手方向に水平をなして外部へ突出する部分なく折り畳まれて保管性及び携帯性を向上させることができ、下部に本発明者が既出願のキャンドル高さ自動調節装置が締結されることにより、使用者の身体へ均一な熱を伝達して屋外活動における体温保持または筋肉弛緩などの目的で用いることができる折り畳み式温熱椅子に関する。
【背景技術】
【０００２】
一般的に椅子は人が座っていられるようにする装置であって、使用目的や空間によって多様な形態が存在する。
【０００３】
特に、釣りとキャンプ、露天商など屋外活動に用いられる椅子の場合、外部温度が低い冬に体温保持のための保温が困難な問題点があり、このような問題点を解決するために、練炭などの発熱体を椅子の下部または椅子の内部に形成された空間部に配置したり、装着可能な椅子を用いたり、電気ストーブまたは電気カーペットのような発熱装置を用いている。
【０００４】
前述の保温方法のうち練炭を発熱体として用いる場合、練炭の燃焼時に発生する高熱によって火傷発生の懸念及び体積が大きく、重量の重い練炭を一定数量積み置きしなければならないという問題点が発生し得、電熱装置を用いる場合、電気配電施設が設置されていない場所では用いることができないと共に、電気配電施設が備えられていても雨天や湿気による漏電のため安全事故が発生し得るリスク要素が存在する。
【０００５】
これに関する従来技術として、韓国登録実用新案公報第２０−０４３６５７７号（２００７年９月７日公告）には、金属材で構成された椅子の内部にキャンドルを燃焼させて椅子を加熱することができ、操作ハンドルを通じてキャンドルの発熱点の位置を調節して椅子を加熱することにより、屋外でも効果的な保温を図ることができる高低調節装置が備えられたキャンドルを利用した発熱椅子に関して開示されている。
【０００６】
しかし、前述の従来技術は、発熱体として用いられるキャンドルを椅子の内部に装着するために一定の大きさの空間が要求されるので、椅子またそれに相応する高さ及び体積に形成されなければならないため、釣りやキャンプなどの屋外活動において使用時、移動性及び携帯性が低下し得るとともに、発熱体であるキャンドルを通じて着座部の一部を加熱して使用者の身体に直接的に伝達する熱の伝導方式を用いるため、熱分布の効率性が低下すると同時に熱が直接的に加えられる着座部の過多過熱によって使用者が火傷の危険に晒されるという問題点がある。
【０００７】
このような問題点を解決するために、本発明は、着座部とこれを支持するそれぞれのフレームが互いに異なる大きさに形成されており、使用者の身体を安定して支持することができ、未使用時や携帯時、幅方向及び長手方向に水平をなして外部へ突出する部分なく折り畳まれることにより、椅子の体積を最小化して携帯性及び保管性を向上させることができ、着座部の下部に本発明者が既出願のキャンドル高さ自動調節装置を締結することにより、釣りやキャンプなど長時間の屋外活動においても効果的に体温を保持することができ、使用の便宜性を向上させると同時に着座部の底面に備えられている蓄熱分散板によってキャンドル高さ自動調節装置から熱が伝達された蓄熱分散板が着座部の内部の空気を加熱した後、これを対流させて着座部に熱を伝達することにより、熱伝達の効率性及び均一性を向上させることができる折り畳み式温熱椅子を提供しようとする。
【先行技術文献】
【特許文献】
【０００８】
【特許文献１】韓国登録実用新案公報第２０−０４３６５７７号
【発明の概要】
【発明が解決しようとする課題】
【０００９】
本発明は、前述のような従来技術の問題点を解決するために考案されたものであって、大きさの異なる２つのフレームが使用時「Ｘ」字状に拡張されて着座部に据え置かれている使用者の身体の重心移動にも関わらず身体を安定して支持すると同時に、未使用時または携帯時、大きさの大きいフレームの内側に大きさの小さいフレーム及び着座部が順次に挿入されることにより、幅方向及び長手方向に水平をなして大きさの大きいフレームの外部へ突出する部分なく折り畳まれることができる折り畳み式温熱椅子を提供することにその目的がある。
【００１０】
また、本発明は釣りやキャンプなど長時間の屋外活動においても体温を保持することができるように着座部の底面に本発明者が既出願のキャンドル高さ自動調節装置を締結することができ、着座部に蓄熱分散板が備えられており、キャンドル高さ自動調節装置から熱が伝達された蓄熱分散板が着座部の内部の空気を加熱した後、加熱された空気の対流によって着座部に均一な熱を伝達することができる折り畳み式温熱椅子を提供することにその目的がある。
【課題を解決するための手段】
【００１１】
上記課題を解決するために、本発明は、使用者が座った状態でキャンドル高さ自動調節装置から供給された熱を使用者の身体へ伝達することができる着座部と、その底面にキャンドル高さ自動調節装置が締結されることができる固定締結部と、キャンドル高さ自動調節装置から伝達された熱によって着座部と固定締結部の結合で形成された空間の空気を加熱することにより、使用者の身体へ均一な熱を伝達することができる蓄熱分散板と、使用時「Ｘ」字状に拡大され、未使用時、外部へ突出する部分なく折り畳まれることができる支持フレーム部で構成されている折り畳み式温熱椅子を提供することにより解決される。
【発明の効果】
【００１２】
前述の本発明の技術的な解決方法によれば、大きさがそれぞれ異なる２つのフレームによって、使用時「Ｘ」字状に拡張されて着座部に座っている使用者の身体の重心が移動される場合にも使用者の身体を安定して支持して構造の安定性を向上させることができ、未使用時または携帯時、大きさの大きいフレームの内側に大きさの小さいフレーム及び着座部が順次に挿入されることにより、幅方向及び長手方向に水平をなし、大きさの大きいフレームの外部へ突出する部分なく折り畳まれて保管性及び携帯性を向上させることができる。
【００１３】
また、本発明は内部フレーム及び外部フレームの大きさの偏差によって、椅子の前後方向を特定して用いることができ、大きさの大きいフレームを後脚として用いることにより重心を安定化することができ、地面に堅固に設置可能であるというメリットがある。
【００１４】
また、本発明は使用者が座れる着座部の下部に、本発明者が既出願のキャンドル高さ自動調節装置を締結することにより、釣りやキャンプなど長時間の屋外活動において体温を効果的に保持することができ、着座部に備えられている蓄熱分散板によって発熱体であるキャンドルが着座部の底面を直接的に加熱して熱を伝達する方式ではなく、キャンドルによって加熱された蓄熱分散板で着座部の内部の空気を加熱することにより、加熱された空気を対流させて着座部の過多過熱によって使用者が火傷の危険に晒されることを防止すると同時に、着座部に均一な熱を効率よく伝達することができる。
【図面の簡単な説明】
【００１５】
【図１】折り畳み式温熱椅子に対する例示図である。
【図２】折り畳み式温熱椅子に対する例示図である。
【図３】折り畳み式温熱椅子の支持フレーム部に対する例示図である
【図４】折り畳み式温熱椅子の支持フレーム部に対する例示図である。
【図５】折り畳み式温熱椅子に対する分解結合図である。
【図６】折り畳み式温熱椅子に対する実施図である。
【図７】折り畳み式温熱椅子の実施に対する断面図である。
【図８】折り畳み式温熱椅子の支持フレーム部の他の実施例に対する断面図である。
【図９】折り畳み式温熱椅子の支持フレーム部の他の実施例に対する断面図である。
【図１０】折り畳み式温熱椅子の蓄熱分散板の他の実施例に対する断面図である。
【図１１】折り畳み式温熱椅子の着座部及び支持フレーム部の他の実施例に対する断面図である。
【図１２】折り畳み式温熱椅子の着座部及び支持フレーム部の他の実施例に対する断面図である。
【図１３】折り畳み式温熱椅子の着座部及び支持フレーム部の他の実施例に対する断面図である。
【発明を実施するための形態】
【００１６】
本発明は、使用者が座る床板部と、上記床板部の底面に備えられた結合部と、上記結合部と相対する反対側に備えられた係止部を含む着座部と、上記結合部または上記係止部に結合される内側フレームと、上記結合部または上記係止部に着脱可能に結合され、上記内側フレームよりも幅がさらに大きく、長さがさらに長くなされた外側フレームを含む支持フレーム部とが含まれており、折り畳み式温熱椅子の使用時、上記内側フレームと外側フレームが相互間の交差地点を中心に「Ｘ」字状に拡張されて上記外側フレームの上部が上記係止部に結合されることにより上記床板部を支持することができ、未使用時、上記外側フレームの上部が上記係止部から分離された状態で上記内側フレームが上記外側フレームの内側へ挿入されて幅方向及び長手方向に水平をなし、上記外側フレームの外部へ突出する部分なく折り畳まれることができるようにする。
【００１７】
以下、添付の図面を参照し、前述の本発明の目的を具現するための好ましい実施構成と、これらの構成による作用関係について説明し、従来と同一ないし同一範疇にある技術構成に対する詳細な説明は省略することとする。
【００１８】
これに先立ち、本明細書及び特許請求の範囲に用いられる用語や単語は通常的または辞書的な意味として限定して解釈されてはならず、発明者は発明者本人の発明を最も最善の方法で説明するために用語の概念を適切に定義することができるという原則に即して、本発明の技術的思想に合致する意味と概念として解釈されるべきである。
【００１９】
したがって、本明細書に記載された実施例と図面に示した構成は、本発明の最も好ましい一実施例に過ぎないだけであり、本発明の技術的思想を全て代表するものではないので、本出願時において、これらを代替可能な多様な均等物と変形例があり得ることを理解すべきである。
【００２０】
図１及び図２、図５〜図７に示したように、本発明は折り畳み式温熱椅子に関するものであって、使用者が座った状態で発熱体であるキャンドルが挿入されているキャンドル高さ自動調節装置５００から供給された熱を使用者の身体へ伝達することができるようにする着座部１００と、この着座部１００の底面に結合されることができる状態でその底面にキャンドル高さ自動調節装置５００が締結されることができる固定締結部２００と、着座部１００と固定締結部２００との間に位置することができ、キャンドル高さ自動調節装置５００から伝達された熱によって着座部１００と固定締結部２００の結合で形成された空間内の空気を加熱することにより着座部１００に座った使用者の身体へ均一な熱を伝達することができる蓄熱分散板３００と、大きさの異なる２つのフレームが交差可能に結合された形状に着座部１００の底面の両側に締結されることができ、使用時「Ｘ」字状に拡張されて着座部１００を安定して支持すると同時に、未使用時、大きさの大きいフレームの外部へ突出する部分なく折り畳まれることができる支持フレーム部４００で構成された折り畳み式温熱椅子に関するものである。
併せて、着座部１００は使用者が座ることができ、熱の効率的な吸収及び吸収された熱が身体へ均一に伝達されることができるように熱伝導性の高い金属材の板状に備えられた床板部１１０と、支持フレーム部４００が結合されることができるように床板部１１０の底面の一側にパイプまたはパイプ状に曲げて形成して備えられている結合部１２０及び結合部１２０の他側に後述する外側フレーム４２０の上部に対応するように円形のパイプが幅方向に切断された半円またはフック状に形成されている係止部１３０とで構成されている。
【００２１】
一方、固定締結部２００は加熱された蓄熱分散板３００の熱気が着座部１００に備えられている床板部１１０の底面方向にのみ伝達されるようにすることにより、熱の損失を防止して熱伝達の効率性を向上させることができるように熱伝導率の低い合成樹脂材で形成されており、底面にキャンドル高さ自動調節装置５００が締結されることができる締結板２１０と、着座部１００の床板部１１０の底面と締結されることにより、蓄熱分散板３００の挿入締結及び蓄熱分散板３００によって加熱された空気が対流されることができる対流空間部２３０を形成することができるように締結板２１０の周りに沿って上面に一体に上向き突出形成されている側面支持部２２０と、締結板２１０の底面に締結されたキャンドル高さ自動調節装置５００から発生する熱が蓄熱分散板３００へ流入されることができるように締結板２１０の中央に貫通形成されている流入口２４０と、固定締結部２００の上部に蓄熱分散板３００が締結されることができるように締結板２１０に多数穿孔されている蓄熱分散板締結口２５０とで構成されており、側面支持部２２０の各側面には空気排出口２２１が貫通形成されており、対流空間部２３０に挿入締結された蓄熱分散板３００の発熱によって加熱された空気の対流を円滑にすると同時に、対流後冷却された空気を排出することができるようにする。
【００２２】
また、空気排出口２２１は加熱された空気の対流を通じた発熱の効率性を極大化することができるようにキャンドル高さ自動調節装置５００に挿入されたキャンドルの発熱点から最も遠距離に穿孔されることができ、その大きさと個数を調節することにより、対流空間部２３０内の加熱された空気の対流時間を最適化して着座部１００の床板部１１０へ伝達される熱の効率を極大化することができる。
一方、蓄熱分散板３００は固定締結部２００の蓄熱分散板締結口２５０に結合されることができ、蓄熱分散板３００が固定締結部２００に備えられている締結板２１０の上面から一定間隔で離隔されて締結されることができるように蓄熱分散板３００の底面に下向き突出形成されている締結板結合部３１０が備えられている。
【００２３】
また、蓄熱分散板３００は、キャンドル高さ自動調節装置５００から伝達された熱を効率よく吸収することができるように、熱伝導性の高い金属材の板状からなることが好ましい。
【００２４】
図１〜図７のように、支持フレーム部４００は折り畳み式温熱椅子の使用時及び未使用時、着座部１００の結合部１２０に結合されることができるように上部中央の一部が切断された形状の内側フレーム開放部４１１が形成されている内側フレーム４１０と、着座部１００の係止部１３０に着脱可能に結合されることができ、図４ａのように長方形状または図４ｂのように下部が開放されるか、下部の一部が切断された外側フレーム開放部４２２が形成されている「コ」字状の外側フレーム４２０とで構成される。
【００２５】
また、外側フレーム４２０は内側フレーム４１０よりも幅がさらに大きく、長さがさらに長くなされることにより、折り畳み式温熱椅子の携帯または保管のために折り畳もうとする場合、外側フレーム４２０の内側空間へ内側フレーム４１０が挿入されることができ、内側フレーム４１０も着座部１００及び固定締結部２００よりも幅がさらに大きく、長さがさらに長くなされて未使用時、外側フレーム４２０、内側フレーム４１０、着座部１００及び固定締結部２００が幅方向及び長手方向に水平をなすことになって外側フレーム４２０の外部へ突出する部分なく折り畳まれることにより、折り畳み式温熱椅子を小型化して携帯性及び保管性を向上させることができる。
【００２６】
また、内側フレーム４１０と外側フレーム４２０の両側の交差地点には、それぞれ内側フレーム結合口４１２と外側フレーム結合口４２１が貫通形成されており、内側フレーム結合口４１２と外側フレーム結合口４２１両方ともに単一体である締結ボルト４３０が挿入締結されることにより内側フレーム４１０と外側フレーム４２０を結合すると同時に、折り畳み式温熱椅子の使用のために支持フレーム部４００を「Ｘ」字状に拡張させようとする場合、締結ボルト４３０を中心に回動して拡張することができる。
【００２７】
この時、内側フレーム４１０と外側フレーム４２０の締結方式は締結ボルト４３０による締結方式に限定しない。
【００２８】
このような本発明の一実施例としては、図６のように、内側フレーム４１０と外側フレーム４２０の交差地点に挿入締結された締結ボルト４３０を中心に回動し、「Ｘ」字状に拡張された後、拡張された外側フレーム４２０の上部に係止部１３０が結合されることにより、使用者が座ることのできる構造的な安定性を確保することができるようになる。
【００２９】
また、拡張された折り畳み式温熱椅子は内側フレーム４１０と外側フレーム４２０の長さの差によって使用者が座った状態で重心を移動しても倒れず、使用者の身体を安定して支持することができる。
また、支持フレーム部４００の上端に締結された着座部１００の底面には固定締結部２００が結合されることができ、着座部１００と固定締結部２００の結合で形成された対流空間部２３０に蓄熱分散板３００が締結板結合部３１０によって固定締結部２００に備えられた締結板２１０の上面から一定間隔で離隔されて設置された後、締結板２１０の底面にキャンドル高さ自動調節装置５００が締結されて締結板２１０に穿孔された流入口２４０を通じてキャンドル高さ自動調節装置５００から蓄熱分散板３００へ熱を伝達することができる。
【００３０】
この時、蓄熱分散板３００へ伝達された熱は、図７のように、蓄熱分散板３００が設置された対流空間部２３０の内部の空気を加熱して加熱された空気の対流によって着座部１００に備えられた床板部１１０の底面へ熱が伝達されることができ、対流後冷却された空気は固定締結部２００の側面支持部２２０に形成された空気排出口２２１を通じて外部へ排出されることができる。
【００３１】
また、蓄熱分散板３００は、図１０のように、平らでない凹んだ形状をなし、内部空気の圧力上昇を防止するための通気口３２０を形成したものに代替されることができる。
【００３２】
一方、折り畳み式温熱椅子を用いない場合、外側フレーム４２０の上端に締結された係止部１３０を外側フレーム４２０から分離した後、締結ボルト４３０を中心に外側フレーム４２０と内側フレーム４１０を再回動して折り畳むことができる。
【００３３】
この時、外側フレーム４２０の幅方向及び長手方向の長さが内側フレーム４１０よりも長く形成されており、内側フレーム４１０が外側フレーム４２０の内側空間へ挿入されることができ、着座部１００の底面に結合された固定締結部２００もそれより幅方向及び長手方向の長さが長く形成された内側フレーム４１０の内側空間へ挿入されることにより、図６のように、外側フレーム４２０、内側フレーム４１０、着座部１００及び固定締結部２００が幅方向及び長手方向に水平をなして外側フレーム４２０の外部へ突出する部分なく折り畳まれることにより、折り畳み式温熱椅子を小型化して携帯性及び保管性を向上させることができる。
【００３４】
併せて、本発明において前述の内側フレーム４１０が結合部１２０に結合され、外側フレーム４２０が係止部１３０に着脱可能に結合されるものと説明したが、前述の内側フレーム４１０が係止部１３０に着脱可能に結合され、外側フレーム４２０が結合部１２０に結合されることに変更適用することが可能であることは勿論である。
【００３５】
一方、本発明の他の実施例としては、図８に図示したように、前述の本発明の一実施例の内側フレーム４１０と外側フレーム４２０がそれぞれ上部フレーム４１０ａ、４２０ａと下部フレーム４１０ｂ、４２０ｂに分割構成される。
【００３６】
ここで、上部フレーム４１０ａ、４２０ａと下部フレーム４１０ｂ、４２０ｂは内側フレーム４１０と外側フレーム４２０が相互交差をなす部位にそれぞれ貫通形成された結合口４１２ａ、４１２ｂ、４２１ａ、４２１ｂに、前述の締結ボルト４３０を挿入締結して組み立てをなすこととなる。
【００３７】
特に、本発明の他の実施例では、上部フレーム４１０ａ、４２０ａが下部フレーム４１０ｂ、４２０ｂよりも直径が小さく備えられた状態で上部フレーム４１０ａ、４２０ａが下部フレーム４１０ｂ、４２０ｂに一部挿入された状態で組み立てをなすことに特徴がある。
【００３８】
すなわち、内側が中空形成された下部フレーム４１０ｂ、４２０ｂの上部に上部フレーム４１０ａ、４２０ａの下部が一部挿入された後、結合口４１２ａ、４１２ｂ、４２１ａ、４２１ｂに締結ボルト４３０を挿入締結することにより、組み立てをなすものであり、これは製作過程で組み立ての簡便さを具現することによって、製作の便利さも創出することができるものである。
【００３９】
さらに、図８のように、上部フレーム４１０ａ、４２０ａと下部フレーム４１０ｂ、４２０ｂが結合された状態を断面図に表現したまま、上部フレーム４１０ａ、４２０ａと下部フレーム４１０ｂ、４２０ｂの中空された内側を除いた両側の厚さをそれぞれ「Ｔ」と仮定する場合、本発明の一実施例のように、それぞれ一つの内側フレーム４１０と外側フレーム４２０で構成した時、締結ボルト４３０によって結合が支持される部位の厚さの和が「４Ｔ」となるが、前述のように、内側フレーム４１０と外側フレーム４２０を上部フレーム４１０ａ、４２０ａと下部フレーム４１０ｂ、４２０ｂの二重フレーム結合構造で構成した時には、締結ボルト４３０によって結合が支持される部位の厚さの和が「８Ｔ」となるものであり、これは、締結ボルト４３０からさらに強い力で支持を受けられるものであって、内側フレーム４１０と外側フレーム４２０の耐久性をより安定して向上させることができるようになる。
【００４０】
一方、本発明のまた他の実施例としては、図９に図示したように、本発明の他の実施例において内側フレーム４１０と外側フレーム４２０がそれぞれ上部フレーム４１０ａ、４２０ａと下部フレーム４１０ｂ、４２０ｂに分割構成され、上部フレーム４１０ａ、４２０ａと下部フレーム４１０ｂ、４２０ｂは内側フレーム４１０と外側フレーム４２０が相互交差をなす部位にそれぞれ貫通形成された結合口４１２ａ、４１２ｂ、４２１ａ、４２１ｂに、前述の締結ボルト４３０を挿入締結して組み立てをなすことになるのは前述の通りである。
【００４１】
ただし、上部フレーム４１０ａ、４２０ａと下部フレーム４１０ｂ、４２０ｂの直径は同一であり、上部フレーム４１０ａ、４２０ａは一部が外側へ突出するように内側に結合された丸棒部材Ｂを備え、この丸棒部材Ｂの突出した端部に結合口４１２ａ、４２１ａが形成された状態で丸棒部材Ｂの突出部位が下部フレーム４１０ｂ、４２０ｂに挿入されて組み立てをなすことに特徴とある。
【００４２】
ここで、丸棒部材Ｂは上部フレーム４１０ａ、４２０ａ及び下部フレーム４１０ｂ、４２０ｂと異なって内側が中空されていない棒状であって、図９のように、前述の丸棒部材Ｂを通じて締結ボルト４３０によって結合が支持される部位の厚さはさらに厚くなるものであり、これを通じた内側フレーム４１０と外側フレーム４２０の耐久性はより向上するものであり、本発明の他の実施例のように、上部フレーム４１０ａ、４２０ａと下部フレーム４１０ｂ、４２０ｂの直径の差による外観上の乖離感さえも解消して内側フレーム４１０と外側フレーム４２０の外観上の美麗さまでも具現させることができるものである。
【００４３】
一方、本発明のまた他の実施例による折り畳み式温熱椅子は、着座部１００、固定締結部２００、蓄熱分散板３００、支持フレーム部４００及びキャンドル高さ自動調節装置５００を備えていることは前述の通りである。
【００４４】
ただし、図１１及び図１２に示したように、着座部１００が厚さを有する生地からなり、内部を開閉する開閉部材１４１を備えたカバー部１４０と、厚さを有し、カバー部１４０の内側に装着されるクッション部材１５０と、縦断面が円形または多角形である金属材質からなるパイプ状にカバー部１４０の幅方向の一側へ延長された部位に備えられた結合部１２０及び縦断面がフック状である金属材質からなってカバー部１４０の幅方向の他側へ延長された部位に縫製、リベット締めまたは付着などで接合固定される係止部１３０を含めてなる。
【００４５】
この時、前述の生地は通常の綿、麻布、ラミーまたはリネンなどのような天然樹脂または合成樹脂の中から選ばれた何れか一つの生地であり得るとともに、開閉部材１４１は通常のジッパー、スナップ、ボタンまたはベルクロ（登録商標）などで多様に適用することができる。
【００４６】
特に、係止部１３０は内側面に整列溝１３１を形成し、外側フレーム４２０は上部で整列溝１３１に対応する位置に整列突起４２３を突出具備して整列溝１３１に結合されるようにするか、逆に係止部１３０は内側面に整列突起１３２を形成し、外側フレーム４２０は上部で整列突起１３２に対応する位置に整列溝４２４を形成して整列突起１３２が結合されるようにすることに特徴がある。
【００４７】
これにより、使用者が着座部１００上に座った状態で着座部１００の動きを抑制することができるように着座部１００と外側フレーム４２０の結合位置を固定することにより、折り畳み式温熱椅子の使用過程において安定性を確保することはもちろん、支持フレーム部４００の破損も防止することができるものであり、これは本発明の全ての実施例に適用可能であると言えるものである。
【００４８】
そして、係止部１３０と外側フレーム４２０の上部に形成された整列溝１３１、４２４は整列突起１３２、４２３に対応する孔状に貫通形成されてもよい。
【００４９】
一方、図示した図１３のように、前述の内側フレーム４１０はその上部の縦断面の周り方向に沿ってガイド溝４１３を形成し、結合部１２０はガイド溝４１３に対応される位置に内側へ突出するガイド突起１２１を一つ以上備えることにも特徴がある。
【００５０】
この時、ガイド溝４１３は内側フレーム４１０の上部の幅方向の中央部に形成されることが好ましく、前述の一つ以上のガイド突起１２１が挿入されて幅方向の両側へ密着可能な孔状に貫通形成されてもよい。
【００５１】
また、ガイド突起１２１は結合部１２０の内側へ突出するように備えられるものであるが、これは結合部１２０の最初の成形時、その内側面からある程度突出するようにすることができ、結合部１２０に内側フレーム４１０が結合された状態で結合部１２０の縦断面の周り方向に沿って通常のボルトまたは無頭ボルトなどを挿入締結して結合部１２０の内側へ突出させてもよい。
【００５２】
これにより、使用者が着座部１００上に座った状態で着座部１００の動きを抑制することができるように着座部１００と内側フレーム４１０の結合位置を固定して折り畳み式温熱椅子の使用過程において安定性を確保することはもちろん、支持フレーム部４００の破損も防止することができるものであり、これは本発明の全ての実施例に適用可能であると言えるものである。
【００５３】
なお、折り畳み式温熱椅子を用いる場合または用いずに保管しようとする場合、結合部１２０に内側フレーム４１０が結合固定された状態で着座部１００の回転をなすことができるが、この時、ガイド突起１２０がガイド溝４１３に嵌められた状態で着座部１００の回転をカイドすることはもちろん、回転時に着座部１００の両側の動きを遮断して安定して回転させることができるようになる。
【００５４】
併せて、前述のガイド突起１２１が結合部１２０に備えられ、ガイド溝４１３が内側フレーム４１０に形成されるものと説明したが、これは製作の容易性、組み立ての簡便さまたは使用上の便利さによって結合部１２０に溝または孔を形成し、内側フレーム４１０に突起を備えることに交差適用することができる。
【００５５】
一方、本発明のまた他の実施例による折り畳み式温熱椅子は、図１１のように、着座部１００は厚さを有する生地からなり、内部に形成された対流空間部を開閉する開閉部材１４１を備えたカバー部１４０と、このカバー部１４０の内側の対流空間部に装着される温熱モジュール１６０を含めてなることができる。
【００５６】
これにより、自体的に発熱する温熱モジュール１６０が装着された対流空間部内の加熱された空気が着座部１００の床板部へ熱を伝達することができるものであり、これは本発明者が既出願のキャンドル高さ自動調節装置５００を締結しなくても、釣りやキャンプなど長時間の屋外活動においても使用者の体温を保持することができるようにする本来の役割を果たすものであり、さらにはキャンドル高さ自動調節装置５００の締結が不要となることに伴う構造的な単純化も図ることができるものである。
【００５７】
一方、本発明のまた他の実施例による折り畳み式温熱椅子は、着座部は温熱モジュールの挿入が可能なポケットを備え、結合部は生地からなって別途の金属パイプが装着されることができ、係止部は生地で被覆されることができるが、これにより、前述の温熱モジュールを通じた自体的な発熱による効果はもちろん、着座部及び支持フレーム部の分離及び結合が容易となって保管と携帯の容易性がさらに増進されることができる。
【００５８】
以上のように、本発明では具体的な構成要素などのような特定事項と限定された実施例及び図面によって説明されたが、これは本発明の全般的な理解のために提供されただけであり、本発明は上記実施例に限定されるものではなく、本発明が属する分野において通常の知識を有する者であれば、このような記載から多様な修正及び変形が可能である。
【００５９】
したがって、本発明の思想は説明された実施例に限定されてはならず、後述する特許請求の範囲だけでなく、本特許請求の範囲と均等または等価的な変形のある全ては本発明の範疇に属すると言えるべきである。
【図１】
2019506285.tif 000003
【図２】
2019506285.tif 000004
【図３】
2019506285.tif 000005
【図４】
2019506285.tif 000006
【図５】
2019506285.tif 000007
【図６】
2019506285.tif 000008
【図７】
2019506285.tif 000009
【図８】
2019506285.tif 000010
【図９】
2019506285.tif 000011
【図１０】
2019506285.tif 000012
【図１１】
2019506285.tif 000013
【図１２】
2019506285.tif 000014
【図１３】
2019506285.tif 000015
【国際調査報告】
2019506285.tif 000016
2019506285.tif 000017
2019506285.tif 000018
2019506285.tif 000019